(57)【要約】【課題】複数の加熱調理器を連携して制御可能な加熱調理システムにおいて、調理性能および使い勝手の向上を図ること。【解決手段】複数の加熱調理器１Ａ，１Ｂ，１Ｃで構成される加熱調理システム１であって、加熱調理器１Ａ，１Ｂ，１Ｃはそれぞれ、被加熱物５を加熱する加熱部１３と、制御情報に基づいて器具の動作を制御する制御部１００とを備え、加熱調理器１Ａ，１Ｂ，１Ｃのうち少なくとも一つの特定の加熱調理器は、他の加熱調理器１Ａ，１Ｂ，１Ｃと通信可能に接続される通信部と、通信可能に接続された他の加熱調理器１Ａ，１Ｂ，１Ｃの中から自己と略同一の性能の加熱部１３および制御機能を有する連携可能な加熱調理器１Ａ，１Ｂ，１Ｃを検出する機種検出部とを備え、機種検出部により検出された連携可能な加熱調理器１Ａ，１Ｂ，１Ｃと通信部を介して制御情報を共有し、共有した制御情報に基づいて制御機能を実行可能としたこと。【選択図】図１
2019203609.tif 000002
【特許請求の範囲】
【請求項１】
複数の加熱調理器で構成される加熱調理システムであって、
前記加熱調理器はそれぞれ、被加熱物を加熱する加熱部と、制御情報に基づいて所定の制御機能を実行し、器具の動作を制御する制御部とを備え、
加熱調理器のうち少なくとも一つの特定の加熱調理器は、他の加熱調理器と通信可能に接続される通信部と、通信可能に接続された他の加熱調理器の中から自己と略同一の性能の加熱部および制御機能を有する連携可能な加熱調理器を検出する機種検出部とを備え、機種検出部により検出された連携可能な加熱調理器と通信部を介して制御情報を共有し、共有した制御情報に基づいて選択された制御機能を実行可能とした、加熱調理システム。
【請求項２】
請求項１に記載の加熱調理システムにおいて、
前記加熱調理器はそれぞれ、制御情報を設定操作するための設定操作部を備え、
前記特定の加熱調理器又は連携可能な加熱調理器の少なくとも一方の加熱調理器は、他方の加熱調理器の設定操作部で設定された制御情報に基づいて制御機能を実行可能とした、加熱調理システム。
【請求項３】
請求項１または２に記載の加熱調理システムにおいて、
前記加熱調理器はそれぞれ、制御情報として加熱部や制御機能のエラー情報を記憶するためのエラー履歴記憶部を備え、
前記特定の加熱調理器は、加熱部や制御機能のエラー回数が所定期間内に一定数を超えている場合、前記制御機能による動作を連携可能な加熱調理器に代行させる、加熱調理システム。
【請求項４】
請求項１から３の何れか一項に記載の加熱調理システムにおいて、
前記加熱調理器はそれぞれ、システムキッチンのカウンタトップに並設される、加熱調理システム。
【発明の詳細な説明】
【技術分野】
【０００１】
本発明は、複数の加熱調理器で構成された加熱調理システムに関する。
【背景技術】
【０００２】
従来、複数の加熱調理器で構成された加熱調理システムにおいて、各加熱調理器が通信可能に接続され、それら加熱調理器間で動作状態や動作条件などの制御情報を共有することで、一の加熱調理器の制御情報により他の全ての加熱調理器を制御することができるように構成されたものが知られている（例えば、特許文献１参照）。
【先行技術文献】
【特許文献】
【０００３】
【特許文献１】特開平９−１１２９１４号公報
【発明の概要】
【発明が解決しようとする課題】
【０００４】
しかしながら、上記従来の加熱調理システムでは、各加熱調理器で加熱部の性能や搭載された制御機能が異なっている場合、上記のように他の加熱調理器の制御情報を用いて一の加熱調理器により調理を行うと、加熱度合や加熱時間の違いによって意図しない仕上がり状態になる虞があった。
【０００５】
本発明は、上記課題を鑑みてなされたものであり、その目的は、複数の加熱調理器を連携して制御可能な加熱調理システムにおいて、調理性能および使い勝手の向上を図ることにある。
【課題を解決するための手段】
【０００６】
本発明は、複数の加熱調理器で構成される加熱調理システムであって、前記加熱調理器はそれぞれ、被加熱物を加熱する加熱部と、制御情報に基づいて所定の制御機能を実行し、器具の動作を制御する制御部とを備え、加熱調理器のうち少なくとも一つの特定の加熱調理器は、他の加熱調理器と通信可能に接続される通信部と、通信可能に接続された他の加熱調理器の中から自己と略同一の性能の加熱部および制御機能を有する連携可能な加熱調理器を検出する機種検出部とを備え、機種検出部により検出された連携可能な加熱調理器と通信部を介して制御情報を共有し、共有した制御情報に基づいて制御機能を実行可能としたものである。
【０００７】
上記加熱調理システムによれば、異なる性能の加熱部や制御機能を備えた複数の加熱調理器で構成されていても、特定の加熱調理器は、通信可能に接続された他の加熱調理器の中から自己と同種の連携可能な加熱調理器を検出し、その連携可能な加熱調理器との間でのみ動作状態や動作条件などの制御情報を共有して所定の制御機能を実行することができる。即ち、連携可能でない加熱調理器では他の加熱調理器の制御情報による制御を行わない。従って、他の加熱調理器の制御情報を用いて一の加熱調理器により調理を行っても意図しない仕上がり状態になる虞がない。
【０００８】
しかも、このものでは、特定の加熱調理器の機種検出部によって連携可能な加熱調理器が検出されるから、上記のように各加熱調理器を共通の制御情報により連携して制御させる際に、使用者自らが取扱説明書や型式番号、外観等に基づいて連携可能な加熱調理器を探し出す必要もない。
【０００９】
好ましくは、上記加熱調理システムにおいて、前記加熱調理器はそれぞれ、制御情報を設定操作するための設定操作部を備え、前記特定の加熱調理器又は連携可能な加熱調理器の少なくとも一方の加熱調理器は、他方の加熱調理器の設定操作部で設定された制御情報に基づいて制御機能を実行可能とする。
【００１０】
このものでは、特定の加熱調理器又は他の連携可能な加熱調理器の何れか一方の加熱調理器にて動作条件などの制御情報を変更すれば、他方の加熱調理器でもその変更された制御情報に基づいて制御機能を実行させることができるから、上記のように特定の加熱調理器と他の連携可能な加熱調理器とを連携して制御させる際に、各加熱調理器の制御情報を個別に変更する必要もないし、使用者がどの加熱調理器の制御情報を変更すればよいか戸惑う虞も少ない。
【００１１】
好ましくは、上記加熱調理システムにおいて、前記加熱調理器はそれぞれ、制御情報として加熱部や制御機能のエラー情報を記憶するためのエラー履歴記憶部を備え、前記特定の加熱調理器は、加熱部や制御機能のエラー回数が所定期間内に一定数を超えている場合、前記制御機能による動作を連携可能な加熱調理器に代行させる。
【００１２】
このものでは、特定の加熱調理器において、加熱部が適切に動作しなかったり、自動調理の制御動作が正常に行われなかったりするなどのエラーが一定数を超えて発生している場合は、他の連携可能な加熱調理器に調理などの動作を代行させることができるから、特定の加熱調理器のメンテナンスが終わるまでの間も所望の制御機能を継続して利用できる。
【００１３】
好ましくは、上記加熱調理システムにおいて、前記加熱調理器はそれぞれ、システムキッチンのカウンタトップに並設される。
【００１４】
このように、加熱部の配設数や出力性能、自動調理機能など異なる構成および制御機能を有する種々の加熱調理器の中から所望の加熱調理器を複数選択し、システムキッチンのカウンタトップに並設することで、使用者の生活様式や嗜好性に合った使い勝手の良い、且つ調理性能やデザイン性に優れた一つの加熱調理システムを構築することができる。
【発明の効果】
【００１５】
以上のように、本発明によれば、他の加熱調理器の制御情報を用いて一の加熱調理器により調理を行っても意図しない仕上がり状態になる虞がないから、調理性能に優れた加熱調理システムを実現できる。また、各加熱調理器を共通の制御情報により連携して制御させる際に、使用者自らが共通の制御機能を有する加熱調理器を探し出す必要もないから、使い勝手も格段に向上する。
【図面の簡単な説明】
【００１６】
【図１】図１は、本発明の実施の形態に係る加熱調理システムの概略斜視図である。
【図２】図２は、本発明の実施の形態に係る加熱調理システムの概略構成図である。
【図３】図３は、本発明の実施の形態に係る加熱調理システムにおける加熱調理器の起動状態のときの操作表示パネルの第１の表示形態を示す図である。
【図４】図４は、本発明の実施の形態に係る加熱調理システムにおける加熱調理器の起動状態のときの操作表示パネルの第２の表示形態を示す図である。
【図５】図５は、本発明の実施の形態に係る加熱調理システムにおける加熱調理器のカスタマイズモード移行時の操作表示パネルの第１の表示形態を示す図である。
【図６】図６は、本発明の実施の形態に係る加熱調理システムにおける加熱調理器のカスタマイズモード移行時の操作表示パネルの第２の表示形態を示す図である。
【図７】図７は、本発明の実施の形態に係る加熱調理システムの連携制御動作を示す第１の作動フローチャートである。
【図８】図８は、本発明の実施の形態に係る加熱調理システムの連携制御動作を示す第２の作動フローチャートである。
【発明を実施するための形態】
【００１７】
次に、上記した本発明を実施するための形態について、添付図面を参照しながら詳述する。
【００１８】
図１および図２に示すように、本発明の実施の形態に係る加熱調理システム１は、システムキッチンのカウンタトップ４に設置される加熱調理器としての複数（ここでは、３つ）のガスコンロ１Ａ，１Ｂ，１Ｃにより構成されている。
【００１９】
ガスコンロ１Ａ，１Ｂ，１Ｃの本体部（調理器本体、以下、「コンロ本体」という）１０は、何れも略矩形箱状に形成されており、その上面部を構成する天板１１をカウンタトップ４の上方に露出させた状態で、カウンタトップ４に開設された取付口に落とし込み状態で設置される。尚、本明細書では、カウンタトップ４の前縁部４１側に面するコンロ本体１０の周面部をガスコンロ１Ａ，１Ｂ，１Ｃの正面とし、コンロ本体１０を正面側から見たときの奥行き方向を前後方向、幅方向を左右方向、高さ方向を上下方向という。
【００２０】
天板１１の上面には、鍋やフライパン等の被加熱物（以下、「調理具」という）５を支持する単数又は複数の五徳１２と、五徳１２上に載置される調理具５を加熱する加熱部としての単数又は複数のコンロバーナ１３とが配設されている。
【００２１】
本実施の形態では、カウンタトップ４に３つのガスコンロ１Ａ，１Ｂ，１Ｃが左右横並びで隣接配置されており、それらガスコンロ１Ａ，１Ｂ，１Ｃのうち中央に配されたガスコンロ（以下、「中央コンロ」ともいう）１Ａは、標準火力のコンロバーナ１３（以下、「大バーナ１３Ｈ」ともいう）のみ備えた所謂一口タイプのコンロである。一方、中央コンロ１Ａの左側に配されたガスコンロ（以下、「左コンロ」ともいう）１Ｂ、および中央コンロ１Ａの右側に配されたガスコンロ（以下、「右コンロ」ともいう）１Ｃは何れも、標準火力のコンロバーナ１３（大バーナ１３Ｈ）と、最大火力が標準火力のコンロバーナ１３より低い低火力のコンロバーナ１３（以下、「小バーナ１３Ｍ」ともいう）とを備えた所謂二口タイプのコンロであって、天板１１の上面後寄りの位置に大バーナ１３Ｈが配され、天板１１の上面前寄りの位置に小バーナ１３Ｍが配されている。
【００２２】
天板１１の上面前寄りの位置には、五徳１２やコンロバーナ１３が配されていない平面領域１４が確保されており、上記平面領域１４がガスコンロ１Ａ，１Ｂ，１Ｃの動作の指示や動作条件の設定を行う操作機能と、ガスコンロ１Ａ，１Ｂ，１Ｃの動作状態や設定された動作条件などの制御情報を表示する表示機能とを兼備する静電容量式のタッチパネルになっている。
【００２３】
詳述すると、天板１１の平面領域（以下、「操作表示パネル」という）１４の下面側には、操作表示パネル１４の所定位置に使用者が触れたことを検出する複数の静電センサ、操作表示パネル１４の所定位置に擬似操作キーや制御情報を表示させる複数の発光素子、静電センサや発光素子の動作を制御する操作表示制御回路等により構成された操作表示基板１４０が組み込まれており、使用者が操作表示パネル１４に表示される種々の擬似操作キーに触れることで、ガスコンロ１Ａ，１Ｂ，１Ｃの電源をオンオフさせたり、コンロバーナ１３の点火や消火をさせたり、自動調理機能などの制御機能を選択したりできるようになっている。
【００２４】
尚、本実施の形態では、自動調理機能（調理モード）として、設定された調理時間が経過すればコンロバーナ１３を消火させるタイマ調理モード、鍋底温度センサ１５の検出温度が予め設定された加熱温度になるようコンロバーナ１３の火力を調整する温調調理モード、鍋底温度センサ１５の検出温度が所定の沸騰温度に達すれば湯沸しが完了した旨を音声にて報知させる湯沸し調理モード、所定の制御ルーチンに従ってコンロバーナ１３の火力を調整する炊飯調理モード等を有している。
【００２５】
コンロバーナ１３の中央部には、五徳１２の上部に載置された調理具５の底部に接触し、調理具５の温度状態を検出する鍋底温度センサ１５が設けられている。また、図示しないが、コンロ本体１０の内部には、鍋底温度センサ１５の上下動に応じてオンオフする鍋検知スイッチが設けられており、鍋底温度センサ１５が押し下げられ、鍋検知スイッチがオン状態になったか否かによって対応する五徳１２の上部、即ち、対応するコンロバーナ１３の所定の加熱位置に調理具５が載置されているか否かを検出するように構成されている。さらに、図示しないが、コンロバーナ１３の炎孔形成部の近傍にはそれぞれ、ガスの燃焼炎の有無を検出する炎検知センサと、炎孔形成部の近傍で火花放電させる点火プラグとが設けられている。
【００２６】
コンロバーナ１３は、燃料ガスと空気の混合ガスを燃焼させて燃焼排ガスを生成し、その燃焼排ガスを熱源として調理具５を下方から加熱するバーナであり、コンロ本体１０内に組み込まれたバルブユニット２０，２１（図２参照）を介して燃料ガスが供給される。
【００２７】
バルブユニット２０，２１は、操作表示パネル１４にて点火操作がなされれば開き、上記炎検知センサにてガスの燃焼炎が検出されなくなれば閉じる開閉バルブユニット２０と、操作表示パネル１４における点火操作や消火操作、制御回路１００からの火力変更の指示に応じて開度を調整する火力調整バルブユニット２１とで構成されており、これら開閉バルブユニット２０および火力調整バルブユニット２１によって対応するコンロバーナ１３へのガスの供給量が適宜調整される。
【００２８】
図示しないが、開閉バルブユニット２０は、ガス配管から各コンロバーナ１３へのガスの供給を一括して遮断可能な保持弁と、上記保持弁を開閉させるための駆動モータとで構成されている。一方、火力調整バルブユニット２１は、ガス配管から各コンロバーナ１３へのガスの供給を個別に遮断可能な主弁と、操作表示パネル１４に表示される所定の火力調整操作キーにて設定された火力に合わせて開度調整されるニードル弁と、上記主弁の開閉やニードル弁の開度を調整するための駆動モータとで構成されている。尚、本実施の形態では、コンロバーナ１３の火力は、最小の「１」から最大の「９」までの９段階で切替可能に構成されている。
【００２９】
図示しないが、コンロ本体１０の内部には、湯沸しが完了した旨や温調調理が完了した旨、調理具５が過熱状態である旨、コンロバーナ１３が失火した旨などを音声にて報知するための音声出力部が組み込まれている。
【００３０】
また、コンロ本体１０の内部には、器具全体の動作を制御する制御部としての制御回路１００が組み込まれており、操作表示基板１４０、鍋底温度センサ１５、鍋検知スイッチ、炎検知センサ、点火プラグに高電圧を印加して火花放電させるイグナイタ、開閉バルブユニット２０の駆動モータ、火力調整バルブユニット２１の各駆動モータ、および音声出力部はそれぞれ有線にて制御回路１００に接続されている。また、各ガスコンロ１Ａ，１Ｂ，１Ｃの制御回路１００はそれぞれ、他のガスコンロ１Ａ，１Ｂ，１Ｃの制御回路１００と有線にて相互に通信可能に接続されている。
【００３１】
尚、本実施の形態では、各ガスコンロ１Ａ，１Ｂ，１Ｃの制御回路１００は、相互に有線にて通信接続されているが、赤外線やＢｌｕｅｔｏｏｔｈ（登録商標）などの近距離無線通信規格により通信接続されるように構成されたものであってもよいし、家庭内通信ネットワークを介して通信接続されるように構成されたものであってもよい。
【００３２】
操作表示基板１４０は、制御回路１００の図示しない電源回路を通じて電力供給源に接続されており、一口タイプの中央コンロ１Ａの場合、ガスコンロ１Ａ，１Ｂ，１Ｃの電源がオンにされて起動状態になると、操作表示パネル１４には、図３に示すように、上記電力供給源から供給される起動電力によって、ガスコンロ１Ａ，１Ｂ，１Ｃの電源のオンオフを指示するための擬似操作キーとなる電源キー３１に加え、コンロバーナ１３の点火や消火をさせるための擬似操作キーとなる点消火キー３２や、コンロバーナ１３によるタイマ調理モードの設定および設定解除を切り替えるための擬似操作キーとなるタイマ設定キー３３、コンロバーナ１３による温調調理モードの設定および設定解除を切り替えるための擬似操作キーとなる温度設定キー３４、点消火キー３２やタイマ設定キー３３、温度設定キー３４の操作の禁止および禁止解除を切り替えるためのロックキー３５が表示される。
【００３３】
一方、二口タイプの左コンロ１Ｂおよび右コンロ１Ｃの場合、電源キー３１が押されて起動状態になると、操作表示パネル１４には、図４に示すように、電源キー３１に加え、各コンロバーナ１３に対応する点消火キー３２や、各コンロバーナ１３に対応するタイマ設定キー３３、点消火キー３２やタイマ設定キー３３の操作の禁止および禁止解除を切り替えるためのロックキー３５が表示される。
【００３４】
また、図示しないが、電源キー３１が押されて起動状態になると、操作表示パネル１４には、さらに湯沸し調理モードの設定および設定解除を切り替えるための擬似操作キーとなる湯沸し設定キーや、炊飯調理モードの設定および設定解除を切り替えるための擬似操作キーとなる炊飯設定キーが表示されるようにしてもよい。
【００３５】
図示しないが、制御回路１００は、操作表示基板１４０や開閉バルブユニット２０の駆動モータ、火力調整バルブユニット２１の各駆動モータ、音声出力部等の電気駆動部に所定の駆動電力を供給する電源回路の他、操作表示パネル１４からの指示や設定された制御情報に基づいてコンロバーナ１３の点火や消火、火力の調整等を行うバーナ制御部、操作表示パネル１４におけるコンロバーナ１３の点火操作や消火操作、調理モードの設定操作等を判別する操作判別部、炎検知センサの出力値に基づいてコンロバーナ１３の点火や消火を判定する点消火判定部、鍋底温度センサ１５の検出温度（鍋底温度）に基づいて調理具５の温度状態を判定する鍋温度判定部、鍋検知スイッチのオンオフ状態に基づいて対応するコンロバーナ１３の加熱位置に調理具５が載置されているか否かを判定する鍋なし判定部、選択された調理モードの制御が正常に行われたか否かを判定する自動調理判定部等の回路構成を有している。
【００３６】
また、制御回路１００は、タイマ調理モードにおける加熱温度や温調調理モードにおける調理時間、湯沸し調理モードにおける湯沸し完了の報知タイミングなどの動作条件の設定を記憶する動作条件記憶部、器具の動作不良が検出されたことや安全機能が働いたこと、コンロバーナ１３が所定時間を超えて着火したこと、選択された調理モードの制御が正常に行われなかったことなどのエラー情報を記憶するエラー履歴記憶部、上記エラー情報を含む動作状態や動作条件などの制御情報を他のガスコンロ１Ａ，１Ｂ，１Ｃと相互に通信する通信部、通信可能に接続された他のガスコンロ１Ａ，１Ｂ，１Ｃの中から自己と同一の性能のコンロバーナ１３および制御機能を有する連携可能なガスコンロ１Ａ，１Ｂ，１Ｃ（以下、「連携可能コンロ」ともいう）を検出する機種検出部等の回路構成を有している。
【００３７】
さらに、制御回路１００は、連携可能コンロの制御情報に基づき自己の動作を他の連携可能コンロと動作を共通にして連携制御する同調制御部、連携可能コンロの制御情報に基づき自己の動作を他の連携可能コンロに代行して連携制御する代行制御部、操作表示パネル１４による所定の設定切替操作に応じて、制御モードを通常の調理を実行可能な「使用モード」と、各調理モードにおける動作条件を変更可能な「カスタマイズモード」とで切替可能な設定切替制御部、操作表示パネル１４による所定の同調切替操作に応じて、制御モードを連携可能コンロと動作を共通にして制御する「同調モード」と、連携可能コンロと動作を共通にしないで単独で制御する「独立モード」とで切替可能な同調切替制御部、操作表示パネル１４による所定の代行切替操作に応じて、制御モードを連携可能コンロに動作を代行させて制御する「代行モード」と、連携可能コンロに動作を代行させないで単独で制御する「独立モード」とで切替可能な代行切替制御部等の回路構成を有している。
【００３８】
本実施の形態では、電源がオンにされて起動状態になった後、操作表示パネル１４に表示された所定の複数の擬似操作キー（例えば、中央コンロ１Ａの場合は、タイマ設定キー３３および温度設定キー３４、左コンロ１Ｂおよび右コンロ１Ｃの場合は、左右のタイマ設定キー３３）を同時に所定時間（例えば、３秒間）以上触れる所謂同時長押し操作が行われることで、制御モードが初期の使用モードからカスタマイズモードに移行する。
【００３９】
また、一口タイプの中央コンロ１Ａの場合、カスタマイズモードに移行すると、操作表示パネル１４には、図５に示すように、電源キー３１やタイマ設定キー３３、温度設定キー３４に加え、タイマ調理モードで設定された調理時間を示す設定時間表示３３０、温調調理モードで設定された加熱温度を示す設定温度表示３４０、調理時間を上げるための擬似操作キーとなる時間アップキー３３Ａ、調理時間を下げるための擬似操作キーとなる時間ダウンキー３３Ｂ、加熱温度を上げるための擬似操作キーとなる温度アップキー３４Ａ、加熱温度を下げるための擬似操作キーとなる温度ダウンキー３４Ｂ、同調モードの設定および設定解除を切り替えるための擬似操作キーとなる同調切替キー３６が表示され、点消火キー３２およびロックキー３５の表示は消去される。
【００４０】
一方、二口タイプの左コンロ１Ｂおよび右コンロ１Ｃの場合、カスタマイズモードに移行すると、操作表示パネル１４には、図６に示すように、電源キー３１やタイマ設定キー３３に加え、各コンロバーナ１３に対応する設定時間表示３３０、各コンロバーナ１３に対応する時間アップキー３３Ａおよび時間ダウンキー３３Ｂ、同調切替キー３６が表示され、点消火キー３２およびロックキー３５の表示は消去される。
【００４１】
尚、一口タイプの中央コンロ１Ａにおいて、カスタマイズモードのときに表示される温度アップキー３４Ａおよび温度ダウンキー３４Ｂ、二口タイプの左コンロ１Ｂおよび右コンロ１Ｃにおいて、カスタマイズモードのときに表示される一方（例えば、左側）の時間アップキー３３Ａおよび時間ダウンキー３３Ｂは何れも、湯沸し完了の報知タイミングの設定を調整する報知タイミング設定モードや、代行モードの設定および設定解除を切り替える代行切替モード、過去のエラー情報を表示させるエラー履歴表示モード等を選択するための擬似操作キーとなる。
【００４２】
そして上記何れかのモードが選択された状態で、他方の時間アップキー３３Ａや時間ダウンキー３３Ｂを操作することで湯沸し完了の報知タイミングの設定値を増減させたり、制御プログラムの設定を代行モードと独立モードとの間で交互に切り替えたりすることができる。また、同調切替キー３６を押すことで制御プログラムの設定を同調モードと独立モードとの間で交互に切り替えることができる。
【００４３】
即ち、カスタマイズモードのときに操作表示パネル１４に表示される時間アップキー３３Ａや時間ダウンキー３３Ｂ、温度アップキー３４Ａ、温度ダウンキー３４Ｂ、同調切替キー３６等が、ガスコンロ１Ａ，１Ｂ，１Ｃの制御情報を設定操作するための設定操作部となる。
【００４４】
上記加熱調理システム１によるガスコンロ１Ａ，１Ｂ，１Ｃの連携制御動作を、図７のフローチャートに従って説明する。尚、本実施の形態では、電源がオフにされた待機状態のときに、一のガスコンロ１Ａ，１Ｂ，１Ｃの操作表示パネル１４に表示された電源キー３１にて所定の電源オン操作がなされると、その電源オン操作がなされたガスコンロ１Ａ，１Ｂ，１Ｃのみ個別に制御回路１００の主制御プログラムを起動させ、起動状態になる。以下、ガスコンロ１Ａ，１Ｂ，１Ｃのうち、特定のガスコンロとして左コンロ１Ｂの電源がオンにされたときの制御動作を中心に説明する。
【００４５】
図７に示すように、左コンロ１Ｂの電源がオンにされて起動状態になると、操作表示パネル１４にて使用モードからカスタマイズモードへの設定切替操作（例えば、タイマ設定キー３３および温度設定キー３４の同時長押し操作）がなされたか否か、および同調モードが設定されている状態において、他のガスコンロ１Ａ，１Ｃから送信された制御情報を受信したか否かを監視する（ＳＴ１〜ＳＴ３）。
【００４６】
尚、図示しないが、上記ＳＴ１からＳＴ３のステップの実行中に、操作表示パネル１４にて所定のコンロバーナ１３の点火操作がなされた場合は、点火プラグから火花放電させると共に、開閉バルブユニット２０を開き、且つ、対応する火力調整バルブユニット２１を点火時の設定開度に調整する。その結果、上記操作対象のコンロバーナ（以下、「対象バーナ」ともいう）１３に対して点火に適した量の燃料ガスが供給され、火花放電により点火される。そして、対応する炎検知センサにて対象バーナ１３の点火が検知されると、対応する火力調整バルブユニット２１を設定火力に応じた開度に調整する。これにより、対応する五徳１２上に載置された調理具５の加熱が開始される。但し、対象バーナ１３の点火操作がなされたときに、対応する五徳１２上に調理具５が載置されておらず、対応する鍋検知スイッチがオン状態になっていない場合は、対象バーナ１３の点火動作は実行されない。
【００４７】
また、上記のように対象バーナ１３が点火された後、操作表示パネル１４にて対象バーナ１３の消火操作がなされた場合は、対応する火力調整バルブユニット２１の主弁を閉じる。その結果、対象バーナ１３への燃料ガスの供給が停止され、対象バーナ１３は消火される。
【００４８】
上記ＳＴ１からＳＴ３のステップの実行中に、左コンロ１Ｂの操作表示パネル１４にて設定切替操作がなされた場合は（ＳＴ１のステップでＹｅｓ）、制御モードを使用モードからカスタマイズモードに変更し（ＳＴ４）、操作表示パネル１４にて報知タイミングなど制御情報の変更操作がなされたか否か、およびカスタマイズモードから使用モードへの設定切替操作（カスタマイズモードの解除操作）がなされたか否かを監視する（ＳＴ５〜ＳＴ６）。
【００４９】
その後、再び左コンロ１Ｂの操作表示パネル１４にて設定切替操作がなされた場合は（ＳＴ６のステップでＹｅｓ）、制御モードをカスタマイズモードから使用モードに戻し（ＳＴ７）、動作を終了する。尚、図示しないが、使用モードのときに、左コンロ１Ｂの操作表示パネル１４にてタイマ調理モードや温調調理モード、湯沸し調理モード、炊飯調理モードなどの調理モードが選択された状態で、コンロバーナ１３が点火された場合は、自己の湯沸し完了の報知タイミングなどの制御情報に基づいて上記各調理モードの制御が行われる。
【００５０】
一方、上記ＳＴ５およびＳＴ６のステップの実行中に、左コンロ１Ｂの操作表示パネル１４にて制御情報の変更操作がなされた場合は（ＳＴ５のステップでＹｅｓ）、その操作に対応する自己の制御情報を変更すると共に（ＳＴ８）、通信可能に接続された他のガスコンロ、即ち、中央コンロ１Ａおよび右コンロ１Ｃの中から連携可能コンロを検出する（ＳＴ９）。
【００５１】
連携可能コンロの検出制御について詳述すると、例えば左コンロ１Ｂにおいて、「小バーナ１３Ｍ」による「湯沸し調理モード」の湯沸し完了の報知タイミングの設定が変更された場合、左コンロ１Ｂは、中央コンロ１Ａおよび右コンロ１Ｃのうち、同一性能のコンロバーナ１３として小バーナ１３Ｍを有し、且つ同一の制御機能として上記小バーナ１３Ｍによる湯沸し調理モードの制御機能を有する連携可能コンロ（ここでは、右コンロ１Ｃ）を検出する。尚、本実施の形態では、ガスコンロ１Ａ，１Ｂ，１Ｃ毎に個別の識別番号が割り当てられており、その識別番号をガスコンロ１Ａ，１Ｂ，１Ｃ間で相互に通信することで、各ガスコンロ１Ａ，１Ｂ，１Ｃに搭載された制御機能やコンロバーナ１３の種類を判別するように構成されている。
【００５２】
連携可能コンロが検出された場合は（ＳＴ１０のステップでＹｅｓ）、その検出された連携可能コンロ（例えば、右コンロ１Ｃ）に対して自己の変更後の制御情報を送信する（ＳＴ１１）。このとき、検出された連携可能コンロにて同調モードが設定されていれば、連携可能コンロは、左コンロ１Ｂから送信された制御情報を受信し、その制御情報に基づいて、選択された調理モードを左コンロ１Ｂと同調して制御可能な状態となる。
【００５３】
左コンロ１Ｂにおいても同様に、同調モードが設定されている状態において（ＳＴ２のステップでＹｅｓ）、他のガスコンロ１Ａ，１Ｃ（例えば、右コンロ１Ｃ）から制御情報を受信した場合は（ＳＴ３のステップでＹｅｓ）、その受信した制御情報に基づいて、選択された調理モードを送信元のガスコンロ１Ａ，１Ｃと同調して制御可能な状態となる（ＳＴ１２）。
【００５４】
一方、上記ＳＴ１からＳＴ３のステップの実行中に、左コンロ１Ｂの操作表示パネル１４にて同調切替操作がなされ、同調モードの設定が解除された場合、即ち、独立モードに設定された場合は（ＳＴ２のステップでＮｏ）、他のガスコンロ１Ａ，１Ｃの制御情報を受信したか否かを監視するＳＴ３のステップを行わないで、ＳＴ１のステップに戻る。従って、上記のように他のガスコンロ１Ａ，１Ｃから制御情報されても、その送信元のガスコンロ１Ａ，１Ｃと同調しないで、単独で制御可能な状態となる。
【００５５】
上記実施の形態では、左コンロ１Ｂの制御動作を中心に説明したが、中央コンロ１Ａや右コンロ１Ｃについても同様の制御がなされる。また、２つのガスコンロで構成された加熱調理システムや４つ以上のガスコンロで構成された加熱調理システムの場合についても同様の制御がなされる。
【００５６】
このように、上記加熱調理システム１によれば、異なる性能のコンロバーナ１３や制御機能を備えたガスコンロ１Ａ，１Ｂ，１Ｃで構成されていても、特定のガスコンロ１Ａ，１Ｂ，１Ｃは、通信可能に接続された他のガスコンロ１Ａ，１Ｂ，１Ｃの中から自己と同種の連携可能なガスコンロ１Ａ，１Ｂ，１Ｃを検出し、その連携可能なガスコンロ１Ａ，１Ｂ，１Ｃとの間でのみ動作状態や動作条件などの制御情報を共有することができる。即ち、連携可能でないガスコンロ１Ａ，１Ｂ，１Ｃでは他のガスコンロ１Ａ，１Ｂ，１Ｃの制御情報による制御を行わない。従って、特定の一のガスコンロ１Ａ，１Ｂ，１Ｃにおいて、他の連携可能なガスコンロ１Ａ，１Ｂ，１Ｃの制御情報を用いて湯沸しなどの調理を行っても意図しない仕上がり状態になる虞がない。これにより、高い調理性能を発揮できる。
【００５７】
しかも、このものでは、特定のガスコンロ１Ａ，１Ｂ，１Ｃの機種検出部によって他のガスコンロ１Ａ，１Ｂ，１Ｃの中から連携可能なガスコンロ１Ａ，１Ｂ，１Ｃが検出されるから、上記のように各ガスコンロ１Ａ，１Ｂ，１Ｃを共通の制御情報により連携して制御させる際に、使用者自らが取扱説明書や型式番号、外観等に基づいて連携可能なガスコンロ１Ａ，１Ｂ，１Ｃを探し出す必要もない。よって、使い勝手が格段に向上する。
【００５８】
さらに、このものでは、特定のガスコンロ１Ａ，１Ｂ，１Ｃ又は連携可能なガスコンロ１Ａ，１Ｂ，１Ｃの何れか一方で動作条件などの制御情報を変更すれば、他方のガスコンロ１Ａ，１Ｂ，１Ｃでもその変更された制御情報に基づいて制御機能を実行させることができるから、上記のように特定のガスコンロ１Ａ，１Ｂ，１Ｃと他の連携可能なガスコンロ１Ａ，１Ｂ，１Ｃとを連携して制御させる際に、各ガスコンロ１Ａ，１Ｂ，１Ｃの制御情報を個別に設定する必要もないし、使用者がどのガスコンロ１Ａ，１Ｂ，１Ｃの制御情報を変更すればよいか戸惑う虞も少ない。よって、使い勝手が一層向上する。
【００５９】
また、上記のようにコンロバーナ１３の配設数や出力性能（最大火力）、搭載された自動調理機能など異なる構成および制御機能を有する種々のガスコンロの中から所望のガスコンロ１Ａ，１Ｂ，１Ｃを複数選択し、システムキッチンのカウンタトップ４に並設することで、使用者の生活様式や嗜好性に合った使い勝手の良い、且つ調理性能やデザイン性に優れた一つの加熱調理システム１を構築することができる。
【００６０】
尚、上記実施の形態では、特定の一のガスコンロ１Ａ，１Ｂ，１Ｃと他の連携可能なガスコンロ１Ａ，１Ｂ，１Ｃとを連携させて、両ガスコンロ１Ａ，１Ｂ，１Ｃで共通の調理を行うとき（同調モード）の連携制御動作を中心に説明したが、特定の一のガスコンロ１Ａ，１Ｂ，１Ｃにおいて、その特定のガスコンロ１Ａ，１Ｂ，１Ｃで選択された調理を他の連携可能なガスコンロ１Ａ，１Ｂ，１Ｃで代行させるとき（代行モード）の連携制御動作についても同様に、特定のガスコンロ１Ａ，１Ｂ，１Ｃは、機種検出部により検出された連携可能なガスコンロ１Ａ，１Ｂ，１Ｃと制御情報を共有し、選択された調理を実行可能に構成されている。
【００６１】
詳述すると、図８に示すように、左コンロ１Ｂの電源がオンにされて起動状態になると、操作表示パネル１４にて所定の調理モードの選択操作（例えば、温度設定キー３４の短押し操作、以下、「調理モード選択操作」という）がなされたか否か、および代行モードが設定されている状態において、他のガスコンロ１Ａ，１Ｃから送信された制御情報を受信したか否かを監視する（ＳＴ２１〜ＳＴ２３）。
【００６２】
上記ＳＴ２１からＳＴ２３のステップの実行中に、左コンロ１Ｂの操作表示パネル１４にて所定の調理モード（例えば、湯沸し調理モード）の選択操作がなされた場合は（ＳＴ２１のステップでＹｅｓ）、制御モードをその選択された調理モードに設定する（ＳＴ２４）。
【００６３】
ここで、左コンロ１Ｂにおいて、過去にバルブユニット２０，２１の動作不良が検出されたり、コンロバーナ１３の着火不良や失火、調理具５の過熱等が検出されて安全機能が働いたり、選択された調理モードにてコンロバーナ１３が所定時間を超えて着火したり、調理モードの制御プログラムが全て正常に行われなかったりした回数、即ち、エラーの発生回数（エラー回数）が、所定期間内に一定数を超えた旨のエラー情報がなければ（ＳＴ２５のステップでＮｏ）、上記調理モードによる制御が終了するのを待って（ＳＴ２６のステップでＹｅｓ）、動作を終了させる。図示しないが、上記調理モードによる制御の実行中に、左コンロ１Ｂにおいて上記のようなエラーが生じた場合は、そのエラー回数が所定期間内に一定数を超えているか否かを判定する。その結果、上記エラー回数が所定期間内に一定数を超えていれば、その旨をエラー情報として左コンロ１Ｂのエラー履歴記憶部に記憶させる。
【００６４】
尚、コンロバーナ１３が着火不良と判定されるまでには至らないが、所定時間を超えて着火した場合は、着火後も炎孔形成部に安定した炎が形成されず、調理具５が適切に加熱されない可能性がある。従って、上記実施の形態では、コンロバーナ１３が所定時間を超えて着火した所謂不成立エラーも含めてエラー回数としてカウントしているが、上記不成立エラーをエラー回数に含めないようにしてもよいし、他のエラー回数と分けてカウントするようにしてもよい。また、上記エラー回数が一定数を超えているか否かを判定するための基準回数は、エラーの種類によって異なる値に設定されたものとしてもよいし、エラーの種類にかかわらず全て同一の値に設定されたものとしてもよい。また、上記エラー回数は、コンロバーナ１３毎に判定されるものとしてもよいし、器具全体として判定されるものとしてもよい。
【００６５】
一方、左コンロ１Ｂにおいて、調理モードが選択されたときに、その選択された調理モードのエラー情報が存在する場合は（ＳＴ２５のステップでＹｅｓ）、通信可能に接続された中央コンロ１Ａおよび右コンロ１Ｃの中から連携可能コンロを検出する（ＳＴ２７）。
【００６６】
連携可能コンロの検出制御について詳述すると、例えば左コンロ１Ｂにおいて、「大バーナ１３Ｈ」による「湯沸し調理モード」が選択されている場合、左コンロ１Ｂは、中央コンロ１Ａおよび右コンロ１Ｃのうち、同一性能のコンロバーナ１３として大バーナ１３Ｈを有し、且つ同一の制御機能として上記大バーナ１３Ｈによる湯沸し調理モードの実行機能を有し、さらに上記エラー情報のない連携可能コンロ（ここでは、中央コンロ１Ａおよび右コンロ１Ｃ）を検出する。
【００６７】
連携可能コンロが検出された場合は（ＳＴ２８のステップでＹｅｓ）、その検出された連携可能コンロ（例えば、中央コンロ１Ａ）に対して上記選択された調理モードに関する制御情報を送信する（ＳＴ２９）。このとき、検出された連携可能コンロにて代行モードが設定されていれば、連携可能コンロは、左コンロ１Ｂから送信された制御情報を受信し、その制御情報に基づいて、選択された調理モードを左コンロ１Ｂに代わって制御可能な状態となる。
【００６８】
左コンロ１Ｂにおいても同様に、代行モードが設定されている状態において（ＳＴ２２のステップでＹｅｓ）、他のガスコンロ１Ａ，１Ｃ（例えば、中央コンロ１Ａ）から制御情報を受信した場合は（ＳＴ２３のステップでＹｅｓ）、その受信した制御情報に基づいて、選択された調理モードを送信元のガスコンロ１Ａ，１Ｃに代わって制御可能な状態となる（ＳＴ３０）。また、図示しないが、左コンロ１Ｂは、選択された調理モードを代行して制御可能な状態となると、自己の操作表示パネル１４に、代行して使用可能なコンロバーナ１３を認識させるための代行情報を表示させる。
【００６９】
一方、選択された調理モードのエラー情報が存在するにもかかわらず（ＳＴ２５のステップでＹｅｓ）、通信可能に接続された中央コンロ１Ａおよび右コンロ１Ｃの中から連携可能コンロが検出されなかった場合は（ＳＴ２８のステップでＮｏ）、上記調理モードによる制御を行わないで動作を終了する。尚、上記のようにエラー情報が存在するにもかかわらず、連携可能コンロが検出されなかった場合は、左コンロ１Ｂでのみ上記調理モードによる制御を実行させてもよい。
【００７０】
また、上記ＳＴ２１からＳＴ２３のステップの実行中に、左コンロ１Ｂの操作表示パネル１４にて代行切替操作がなされ、代行モードの設定が解除された場合、即ち、独立モードに設定された場合は（ＳＴ２２のステップでＮｏ）、他のガスコンロ１Ａ，１Ｃの制御情報を受信したか否かを監視するＳＴ２３のステップを行わないで、ＳＴ１のステップに戻る。従って、上記のように他のガスコンロ１Ａ，１Ｃから制御情報されても、その送信元のガスコンロ１Ａ，１Ｃの調理を代行しないで、単独で制御可能な状態となる。
【００７１】
このように、上記加熱調理システム１によれば、特定のガスコンロ１Ａ，１Ｂ，１Ｃにて所定の調理モードによる調理を行うにあたって、過去にバルブユニット２０，２１の動作不良が検出されたり、コンロバーナ１３の着火不良や失火、調理具５の過熱等が検出されて安全機能が働いたり、コンロバーナ１３が所定時間を超えて着火したり、上記調理モードの制御動作が全て正常に行われなかったりするなどのエラーが一定数を超えて発生している場合は、通信可能に接続された他のガスコンロ１Ａ，１Ｂ，１Ｃの中から自己と同種の連携可能なガスコンロ１Ａ，１Ｂ，１Ｃを検出し、その連携可能なガスコンロ１Ａ，１Ｂ，１Ｃに同じ調理モードによる調理を代行させることができる。従って、特定のガスコンロ１Ａ，１Ｂ，１Ｃの修理や調整などのメンテナンスが終わるまでの間も、所望の調理モードを継続して利用できるし、他のガスコンロ１Ａ，１Ｂ，１Ｃで同じ調理モードによる調理を代行させるのに、使用者自らが取扱説明書や型式番号、外観等に基づいて連携可能なガスコンロ１Ａ，１Ｂ，１Ｃを探し出す必要もない。よって、使い勝手が格段に向上する。
【００７２】
尚、上記実施の形態では、全てのガスコンロ１Ａ，１Ｂ，１Ｃが相互に通信可能に接続されたものを説明したが、ガスコンロ１Ａ，１Ｂ，１Ｃのうち所定の複数のガスコンロ（例えば、中央コンロ１Ａおよび左コンロ１Ｂ）のみが通信可能に接続され、それらガスコンロ間のみで制御情報を共有可能に構成されたものとしてもよい。
【００７３】
上記実施の形態では、電源のオンオフ、コンロバーナ１３の点火および消火、火力の手動による切替、調理モードの設定、カスタマイズモードへの切替、同調モードの切替、代行モードの切替等の指示を、操作表示パネル（タッチパネル）１４にて行うように構成されたものを説明したが、天板１１の上面に設けられた電源ボタンや点消火操作子、設定切替ボタンなどの物理スイッチにて行うように構成されたものとしてもよい。
【００７４】
また、上記実施の形態では、バルブユニット２０，２１の動作不良が検出されたり、コンロバーナ１３の着火不良や失火、調理具５の過熱等が検出されて安全機能が働いたりするなど安全関連のエラー情報に加え、コンロバーナ１３が所定時間を超えて着火したり、選択された調理モードの制御動作が全て正常に行われなかったりするなど調理関連のエラー情報も含めてガスコンロ１Ａ，１Ｂ，１Ｃ間で共有するものとしたが、上記安全関連のエラー情報のみ共有するものとしてもよいし、上記調理関連のエラー情報のみ共有するものとしてもよい。
【００７５】
上記実施の形態では、代行モードの切替を操作表示パネル１４により手動で指示するように構成されたものを説明したが、ガスコンロ１Ａ，１Ｂ，１Ｃに上記のような代行モードの手動による切替機能を備えておらず、特定のガスコンロ１Ａ，１Ｂ，１Ｃにおいて所定の調理モードが選択されたときに、その調理モードのエラー情報が存在する場合は、自動で代行モードによる制御がなされるように構成されたものとしてもよい。これにより、使用者が特定のガスコンロ１Ａ，１Ｂ，１Ｃの動作不調や過去のエラー情報を把握していなくても、最適なガスコンロ１Ａ，１Ｂ，１Ｃを用いて調理を行うことができる。よって、使い勝手が良い。
【００７６】
上記実施の形態では、制御情報の変更操作がなされた場合や調理モードの選択操作がなされた場合に、連携可能コンロに対して自己の変更後の制御情報や選択された調理モードに関する制御情報を送信するように構成されたものを説明したが、電源がオンにされた後、所定時間毎に制御情報を自動送信するようにしてもよいし、制御情報の変更操作がなされた後や調理モードの選択操作がなされた後、所定のタイミングで制御情報を送信するようにしてもよい。
【００７７】
本発明は、加熱部として、コンロ本体１０の上部に配された調理具５を電熱部からの輻射熱や伝導熱により加熱する電熱ヒータが用いられた加熱調理システムにも適用できるし、上記調理具５を電磁誘導により加熱する電磁誘導ヒータが用いられた加熱調理システムにも適用できる。また、加熱部として、電熱ヒータや電磁誘導ヒータ、上記コンロバーナ１３のようなガスバーナを複合して備えた加熱調理システムにも適用できる。
【００７８】
本発明は、各加熱調理器をシステムキッチンのカウンタトップ４に埋設して構成される所謂ビルトイン式の加熱調理システムに限らず、各加熱調理器をシステムキッチンのテーブル上に載置して構成される所謂据置式の加熱調理システムにも適用できる。
【符号の説明】
【００７９】
１      加熱調理システム
１Ａ，１Ｂ，１Ｃ  ガスコンロ（加熱調理器）
１００  制御回路（制御部）
１３    コンロバーナ（加熱部）
５      調理具（被加熱物）
【図１】
2019203609.tif 000003
【図２】
2019203609.tif 000004
【図３】
2019203609.tif 000005
【図４】
2019203609.tif 000006
【図５】
2019203609.tif 000007
【図６】
2019203609.tif 000008
【図７】
2019203609.tif 000009
【図８】
2019203609.tif 000010